(57)【要約】【課題】  長期使用した場合であっても気密性が低下しにくく、断熱板の交換時期を遅らせることのできる保冷箱の提供。【解決手段】  ４側面からなる胴体部と底面部と上面に形成されている開口可能な天蓋部とを有する外容器と、前記外容器の底面部の内面に隣接して設置可能な底面断熱部材と、前記外容器の天蓋部の内面に隣接して設置可能な天蓋断熱部材と、胴体断熱板と前記胴体断熱板を出し入れ可能な上蓋を有し前記胴体断熱板が収納されている胴体断熱板収納袋とを有する、前記外容器の胴体部のそれぞれの内面に隣接して設置可能な４つの胴体断熱部材と、を有する、前記断熱部材により断熱空間を形成可能な保冷箱において、前記胴体断熱部材が、胴体断熱板の上端であり断熱空間側に位置する端縁部を補強する補強材を有しており、当該補強材が前記胴体断熱板収納袋に収納されていることを特徴とする、保冷箱。【選択図】  図３
2010208644.tif 000002
【特許請求の範囲】
【請求項１】
４側面からなる胴体部と底面部と上面に形成されている開口可能な天蓋部とを有する外容器と、
前記外容器の底面部の内面に隣接して設置可能な底面断熱部材と、
前記外容器の天蓋部の内面に隣接して設置可能な天蓋断熱部材と、
胴体断熱板と前記胴体断熱板を出し入れ可能な上蓋を有し前記胴体断熱板が収納されている胴体断熱板収納袋とを有する、前記外容器の胴体部のそれぞれの内面に隣接して設置可能な４つの胴体断熱部材と、
を有する、前記断熱部材により断熱空間を形成可能な保冷箱において、
前記胴体断熱部材が、胴体断熱板の上端であり断熱空間側に位置する端縁部を補強する補強材を有しており、当該補強材が前記胴体断熱板収納袋に収納されていることを特徴とする、保冷箱。
【請求項２】
前記胴体断熱板収納袋の上蓋が、当該収納袋の一つの本体部分と一体的に形成されており、胴体断熱板の上部を覆い、前記本体部分とは対面の当該収納袋の本体部分で上蓋が固定可能である、請求項１記載の保冷箱。
【請求項３】
前記補強材が、Ｌ字型アングルである、請求項１又は２記載の保冷箱。
【請求項４】
前記補強材が、アルミ製である、請求項１〜３のいずれか一項記載の保冷箱。
【発明の詳細な説明】
【技術分野】
【０００１】
本発明は、断熱板が取り替え可能な保冷箱に関し、特に、長期使用した場合であっても気密性が低下しにくい保冷箱に関する。
【背景技術】
【０００２】
従来、冷凍食品、冷蔵食品等の要冷凍・冷蔵品を運搬するために、断熱材により覆われた保冷箱が使用されてきた。保冷箱は、その形状や、性質が改良され、例えば、特許文献１に示すように、保冷箱を使用しない際に折りたたんで収納可能とするような機構を設けることが提案されている。また、保冷箱を使用していると当該保冷箱に使用されている断熱板が劣化するため、当該断熱板のみを交換可能な保冷箱が提案されている（特許文献２）。
【先行技術文献】
【特許文献】
【０００３】
【特許文献１】特開２０００−２０３５７０号公報
【特許文献２】特開２００３−１８２７７７号公報
【発明の概要】
【発明が解決しようとする課題】
【０００４】
これらの保冷箱は、保冷箱内部に冷凍食品を出し入れする際に内側コーナー部に冷凍食品が当たることや、ボックス移送中又は移送積み下ろし作業中にボックス同士又はその他の運搬機器等の障害物との接触によりボックス外部から強い力がかかること等の原因により、断熱板の潰れ、割れが生じるといった問題を有していた。特に、折りたたみ式の保冷箱は、気密性を高めるために寸法公差が厳しく設計されているため、使用時に繰り返し折りたたむことよっても、断熱板の割れ、潰れが発生するという問題があった。従って、保冷箱に使用する断熱板も、脆化や劣化する。特に、使用時の割れや、断熱板の端部の欠けにより、隙間等が発生することで、保冷箱の気密性が低下するという問題が発生する。そこで、本発明は、長期使用した場合であっても気密性が低下しにくく、断熱板の交換時期を遅らせることのできる保冷箱を提供することを第一の目的とする。
【０００５】
また、上述のように従来の保冷箱は、断熱板のみを交換可能な構成としている。従来技術によれば、保冷箱の内部に断熱板の収納袋を設けて、更に当該断熱板の取り出し口を設ける。取り出し口は、収納袋の上端に設けられ、断熱板の厚み分の重ね代に面ファスナーを設けて接合される構成を有していた。従って、断熱板の上端にある収納袋の取り出し口は、シート材が重なっているうえに面ファスナーがあることで、嵩高となっていた。そのため、保冷箱の性能として、冷気が逃げるおそれが高く、気密性を上げる工夫が求められていた。また、取り出し口の面ファスナーの接合の際に弛みが生じるとそれにより保冷箱の気密性が低下するため、当該接合は慎重に行なわなければならいため作業性が悪かった。そこで本発明は、保冷箱の気密性を更に向上させつつ、断熱板が劣化した際にだれでも容易に交換できる手段を提供することを第二の目的とする。
【課題を解決するための手段】
【０００６】
本発明者は、使用により劣化した断熱板を観察すると、胴体面の一部を構成する断熱板の上端部の内面側の内縁がへたって丸くなることによる気密性の低下が主な交換原因であることを明らかにして、本発明を完成させるに至った。
【０００７】
本発明（１）は、４側面からなる胴体部（例えば、胴体部１０１）と底面部（例えば、底面部１０３）と上面に形成されている開口可能な天蓋部（天蓋部１０５）とを有する外容器（例えば、外容器１０６）と、
前記外容器の底面部の内面に隣接して設置可能な底面断熱部材（例えば、底面断熱部材１２８）と、
前記外容器の天蓋部の内面に隣接して設置可能な天蓋断熱部材（例えば、天蓋断熱部材１３０）と、
胴体断熱板（例えば、側面胴体断熱板１３８）と前記胴体断熱板を出し入れ可能な上蓋（例えば、上蓋１４２ｅ）を有し前記胴体断熱板が収納されている胴体断熱板収納袋（例えば、側面胴体断熱板収納袋１４２）とを有する、前記外容器の胴体部のそれぞれの内面に隣接して設置可能な４つの胴体断熱部材（例えば、前面胴体断熱部材１３２、後面胴体断熱部材１３４、側面胴体断熱部材１３６）と、
を有する、前記断熱部材により断熱空間（例えば、断熱空間Ｓ）を形成可能な保冷箱において、
前記胴体断熱部材が、胴体断熱板の上端であり断熱空間側に位置する端縁部を補強する補強材（例えば、補強材１４４）を有しており、当該補強材が前記胴体断熱板収納袋に収納されていることを特徴とする、保冷箱（例えば、保冷箱１００）である。
【０００８】
本発明（２）は、前記胴体断熱板収納袋の上蓋が、当該収納袋の一つの本体部分と一体的に形成されており、胴体断熱板の上部を覆い、前記本体部分とは対面の当該収納袋の本体部分で上蓋が固定可能である（例えば、上蓋１４２ｅ）、前記発明（１）の保冷箱である。
【０００９】
本発明（３）は、前記補強材が、Ｌ字型アングルである、前記発明（１）又は（２）の保冷箱である。
【００１０】
本発明（４）は、前記補強材が、アルミ製である、前記発明（１）〜（３）のいずれか一つの保冷箱である。
【発明の効果】
【００１１】
本発明（１）によれば、胴体面の一部を構成する断熱板の上端部の内面側の内縁のへたりを防止するため、長期間使用しても気密性が低下しにくくなる、また、断熱板の交換時期を遅らせることができるといった効果を奏する。
【００１２】
本発明（２）によれば、胴体断熱部材の上端部分のシート材が一枚のみで構成されるため、気密性が向上し、収納袋のヒンジ部分が補強部材の端縁部に密着して、胴体断熱部材の上部に弛みが発生しにくくなり、より平坦に形成されるため、更に保冷箱の気密性を高めることが可能となるという効果を奏する。更に、断熱板が劣化した際にだれでも容易に交換できるという効果を奏する。
【００１３】
本発明（３）によれば、補強部材の製造コストを低減できるという効果を奏する。
【００１４】
本発明（４）によれば、可塑変形によって発生する白化といった問題が発生しない、また、低温の条件であっても材料の強度が低下しにくいという効果を奏する。
【図面の簡単な説明】
【００１５】
【図１】図１は、本最良形態に係る保冷箱の概念図である。
【図２】図２は、本最良形態に係る保冷箱の概念図である。
【図３】図３は、本最良形態に係る保冷箱の側面胴体断熱部材の概念図である。
【図４】図４は、本最良形態に係る保冷箱の前面胴体断熱部材又は後面胴体断熱部材の概念図である。
【図５】図５は、本最良形態に係る保冷箱の底面断熱部材の概念図である。
【図６】図６は、本最良形態に係る保冷箱の天蓋断熱部材の概念図である。
【図７】図７は、本最良形態に係る保冷箱の折りたたみ機構の説明図である。
【図８】図８は、本最良形態に係る保冷箱の折りたたみ機構の説明図である。
【図９】図９は、本最良形態に係る保冷箱の折りたたみ状態を示す概念図である。
【発明を実施するための形態】
【００１６】
以下、図面を参照しながら、本発明における最良形態について説明する。ここでは、折りたたみ可能な保冷箱の一例を示す。尚、本最良形態は、あくまで本発明の保冷箱の一例に過ぎず、当該形態に何ら限定されるものではない。
【００１７】
図１は、本最良形態に係る保冷箱１００の概略構成図である。図１は天蓋が閉じた状態にある保冷箱１００の概念斜視図である。本最良形態に係る保冷箱１００は、胴体部１０１と底面部１０３と上面に形成されている開口可能な天蓋部１０５とを有する外容器１０６を有する。胴体部１０１は、前面部１０７と後面部１０９と二つの側面部１１１とから構成される。前面部１０７及び後面部１０９に使用する材料は硬質のものであってもよいが、側面部１１１及び底面部１０３の材料は、特に限定されないが、後述する折りたたみ機構を設ける場合には、弾性のある圧縮されても形状が回復する材料を使用することが好適である。
【００１８】
天蓋部１０５は、後面部１０９の上端に形成されており、保冷箱の上面で開閉可能に構成されている。また、天蓋部１０５は、前面部１０７まで延在する延長部１０５ａを有し、前面部上部に形成されている面ファスナー１２０ａ（図２）と天蓋部１０５の延長部１０５ａに形成されている面ファスナー１２０ｂ（図２）により固定可能な構成を有している。側面部１１１は、それぞれの上端部にフラップ部１２２を有する。当該フラップ部１２２は、天蓋部１０５を固定可能にする面ファスナー１２４ａを有し、天蓋部１０５は、その左右端部に面ファスナー１２４ｂを有している。当該フラップ部１２２により、天蓋部１０５を閉じた状態として固定することが可能となる。尚、フラップ部１２２は、折りたたみのしやすさの観点から、軟質の材料により構成されていることが好適である。また、図２に示すように、天蓋部１０５の内面ヒンジ付近には、折りたたみ時の形状保持用バンド１２５が形成されていることが好適である。当該バンド１２５の一端には面ファスナー（図示しない）が形成されている。
【００１９】
図２示すように、側面部１１１は、それぞれの面に上部持ち手１１６及び下部持ち手１１８を有することが好適である。また、側面部１１１には、折りたたみ時の形状保持用バンド１１９が形成されている。バンド１１９は、底面部に対して水平方向に形成されており、当該バンドの前面側の一端が縫い合わされており、後面側の端部の内面側には面ファスナー（図示しない）が設けられている。当該バンド１１９は、後述する天蓋部１０５を解放状態として後面部１０９に接するように垂らした際に天蓋部の延長部１０５ａに形成されている面ファスナー１２０ｂと同じ高さに位置するように形成されている。当該構成により後述する折りたたみの際に、これらの面ファスナーを張り合わせて、折りたたみ時の形状を保持することが可能となる。更に、側面部１１１に設けられた面ファスナー（図示しない）により、箱状態にした際に、固定可能に形成されている。
【００２０】
本最良形態に係る保冷箱１００は、図２に示すように、胴体断熱部材１２６と底面断熱部材１２８と天蓋断熱部材１３０（図６参照）とを有し、当該断熱部材により断熱空間Ｓが形成可能な構成を有している。胴体断熱部材１２６は、前面胴体断熱部材１３２と後面胴体断熱部材１３４と左右二つの側面胴体断熱部材１３６とを有する。前面胴体断熱部材１３２と後面胴体断熱部材１３４は同じ寸法である。また、折りたたみ可能な箱とするために、側面胴体断熱部材１３６の奥行き内寸Ｌ２は、前記前面胴体断熱部材１３２と後面胴体断熱部材１３４の横幅Ｌ１の半分以下の長さとすることが好適である。また、側面断熱部材１２６の横端縁部は、折りたたみ代１３１を介して、前面胴体断熱部材１３２の横端縁部と縫い合わされていることが好適である。なお、上記断熱部材は、すべて断熱板収納袋に収まっており、折り畳みのための端縁部の縫い合わせは、断熱板収納袋を縫製することで行われる。
【００２１】
図３は、胴体断熱部材の概略構成を示す図である。尚、ここでは側面胴体断熱部材１３６を例にとり説明する。図３に示すように、側面胴体断熱部材１３６は、側面胴体断熱板１３８と、前記側面胴体断熱板１３８を出し入れ可能な上蓋１４２ｅを有し、前記側面胴体断熱板が収納されている胴体断熱板収納袋１４２と、前記胴体断熱板収納袋１４２の内部に収納されており前記側面胴体断熱板１３８の上端部に配置されている補強材１４４とを有する。ここで、本最良形態に係る断熱板は、硬質ポリウレタン発泡ボードにより構成されていることが、アングルを嵌めたときにたわみがなく好適である。また、当該側面胴体断熱部材１３６は、外容器１０６の胴体部の内壁面に隣接して設置可能に構成されている。
【００２２】
側面胴体断熱部材１３６は、側面胴体断熱板１３８の上端の内面端縁部を補強する補強材１４４を有する。当該補強材により断熱板の潰れを防止できるため、断熱板の交換寿命を延ばすことが可能となる。補強材１４４の形状は胴体断熱板の上端の内面端縁部を補強可能であれば特に限定されないが、例えば、Ｌ字型のアングルや、コ字型のアングルが使用可能である。これらの形状の中でも、製造コストの低減の観点から、Ｌ字型のアングルを使用することが好適である。ここで、本最良形態に係る補強材１４４は、アルミ又は樹脂材料を使用することが可能であるが、これらの中でも特にアルミ材料が好適である。アルミ製の補強材は、樹脂を使用した場合、可塑変形によって発生する、白化といった問題が発生しない、また、アルミは低温の条件であっても材料の強度が低下しにくいといった利点を有する。
【００２３】
側面胴体断熱板収納袋１４２は、側面本体部１４２ａと前面本体部１４２ｂと後面本体部１４２ｃと底面部１４２ｄとを有し、更に、後面本体部１４２ｃの上端に後面本体部と一体的に形成された上蓋１４２ｅを有する。当該上蓋１４２ｅは、後面本体部１４２ｃの上端から延在し、袋体の上部を覆い、前面本体部１４２ｂにおいて面ファスナー１５２ａ及び１５２ｂにより固定可能に形成されている。当該構成により、上蓋１４２ｅは収納袋側面に設けられた面ファスナーにより固定されるため、断熱板の上端部にはシート材が一枚だけ積層された状態となる。従って、保冷箱１００の気密性が向上する。更に、前記補強材としてＬ字型アングル等の端縁部１４４ａを有する部材を用いた場合には、後面本体部１４２ｃ側に端縁部１４４ａが配置されるように収納することが好適である。当該構成により、前記上蓋を閉じる際に当該端縁部１４４ａが支点となって、収納袋１４２のヒンジ部分１４２ｃ−１が前記端縁部１４４ａに密着して、胴体断熱部材の上部に弛みが発生しにくくなり、より平坦に形成されるため、更に保冷箱の気密性を高めることが可能となる。尚、側面胴体断熱部材１３６は、後面本体部１４２ｃが内面（断熱空間Ｓ）に向くようにして外容器１０６の内壁に密接するように配置される。
【００２４】
前面胴体断熱部材１３２及び後面胴体断熱部材１３４は、上記の側面胴体断熱部材１３６と基本的に同様の構成を有しており、胴体断熱板と、胴体断熱板を出し入れ可能な上蓋を有する胴体断熱板収納袋と、前記胴体断熱板収納袋の内部に収納されており前記胴体断熱板の上端部に設置されている補強材と、を有する。当該共通部分については説明を省略し、以下、前面胴体断熱部材１３２及び後面胴体断熱部材１３４と側面胴体断熱部材１３６との相違点について主に述べる。前面胴体断熱部材１３２及び後面胴体断熱部材１３４と、側面胴体断熱部材１３６との違いは、横幅の寸法と、外容器内面との固定手段が付されているか否かである。即ち、胴体断熱部材は、いずれも同じ高さを有し、当該部材を四面に配置して、天板断熱部材１３０と密接に接合し、気密空間Ｓを形成する。前面胴体部材１３２及び後面胴体部材１３４の胴体断熱板収納袋の上端部及び下端部には、図４に示すように、外容器の前面部又は後面部に形成された面ファスナー１５２ｄ及び１５２ｆと固定可能な、面ファスナー１５２ｃ及び１５２ｅを有する。
【００２５】
図５（ａ）及び（ｂ）は、底面断熱部材１２８の概略構成図である。底面断熱部材１２８は、底面断熱板１５４と、前記底面断熱板１５４を出し入れ可能な取り出し口１５６を有し前記底面断熱板１５４が収納されている底面断熱板収納袋１５８と、を有する。取り出し口１５６は、一つの底面断熱板収納袋の本体面１５８ｂと一体的に形成されている上蓋部１５８ｃを有しており、更に、上部を覆い、前記本体面１５８ｂとは対面の収納袋本体面１５８ａで面ファスナー１５９ａ及び１５９ｂにより固定可能に構成し、開閉可能にすることが好適である。前記底面断熱板収納袋１５８の内部には、当該底面断熱板１５４の端縁部を補強するための補強材１４４が設けられていてもよい。また、当該底面断熱部材１２８は、面ファスナーが設けられている面を下にして、外容器の底面部の内壁面に隣接して設置可能に構成されている。図５（ａ）に示すように、後述する折りたたみ機構のために、底面断熱部材１２８の端部は、前面胴体断熱部材１３２の下端から当該断熱部材の厚み程度の幅を持たせて縫い合わされて、底面断熱部材１２８を垂直の状態に持ち上げられるように構成することが好適である。更に、底面断熱部１２８の他端には、持ち手１２９が形成されていることが好適である。当該持ち手１２９を形成することにより、箱状態から折りたたみを容易にする。
【００２６】
図６は、天蓋断熱部材の概略構成図である。天蓋断熱部材１３０は、天蓋断熱板１６０と、前記天蓋断熱板１６０を出し入れ可能な取り出し口１６２を有し前記天蓋断熱板１６０が収納されている天蓋断熱板収納袋１６４と、を有する。天蓋断熱板収納袋１６４は、本体部１６４ａと前記本体部の上端に形成されている第一上蓋１６４ｂと、前記第一上蓋部とは対面の本体部の上端に形成されている第二上蓋部１６４ｃとを有し、前記上蓋部にそれぞれ形成されている面ファスナー１６９ａ及び１６９ｂにより固定可能となっている。前記天蓋断熱板収納袋１６４の内部には、当該天蓋断熱板１６０の端縁部を補強するための補強材が設けられていてもよい。また、当該天面断熱部材１３０は、外容器の天蓋部１０５の内壁面に隣接して設置可能に構成されている。更に、当該天蓋断熱部材１３０は、前記天蓋部１０５の内壁に縫い合わされていてもよい。
【００２７】
次に、本最良形態に係る折りたたみ機構について説明する。まず、図７（ａ）に示すように本最良形態に係る保冷箱１００の天蓋部１０５を開ける。続いて、図７（ａ）及び（ｂ）に示すように、底面断熱部材１２８に形成された持ち手１２９を引っ張り、底面断熱部材１２８を垂直に起す。起こした底面断熱部材１２８は、前面胴体断熱部材１３２に密着させて立てかける。続いて、図８（ａ）に示すように、側面胴体断熱部材１２６を内側に折り曲げて、図８（ｂ）に示す概略図の状態とする。両側面部を折り曲げた後に、前面胴体断熱部材１３２と後面胴体断熱部材１３４が密着するように外容器を折りたたみ、図９に示すように、バンド１２５の面ファスナーと、外容器の前面部１０７の上部に形成されている面ファスナー１２０ａと張り合わせて固定する。更に、バンド１１９（図２、図９参照）の面ファスナーと、天蓋部１０５の面ファスナー１２０ｂとを張り合わせて固定する。以上の作業により、図９の概略斜視図に示すように、保冷箱１００は、折りたたまれた状態となる。
【符号の説明】
【００２８】
１００：保冷箱
１０１：胴体部
１０３：底面部
１０５：天蓋部
１０６：外容器
１０７：前面部
１０９：後面部
１１１：側面部
１２８：底面断熱部材
１３０：天蓋断熱部材
１３２：前面胴体断熱部材
１３４：後面胴体断熱部材
１３６：側面胴体断熱部材
１３８：側面胴体断熱板
１４２：側面胴体断熱板収納袋
１４２ｅ：上蓋
１４４：補強材
Ｓ：断熱空間
【図１】
2010208644.tif 000003
【図２】
2010208644.tif 000004
【図３】
2010208644.tif 000005
【図４】
2010208644.tif 000006
【図５】
2010208644.tif 000007
【図６】
2010208644.tif 000008
【図７】
2010208644.tif 000009
【図８】
2010208644.tif 000010
【図９】
2010208644.tif 000011